(57)【要約】【課題】  任意の位置に印鑑が押印された帳票に対して、印影色と異なった記入文字と印影が重なった帳票の読取りにおいて、印影色と同色で記入された文字列をドロップアウトすることなく、印影をドロップアウトして、印影と重なった異色の記入文字および印影と重ならない同色の記入文字を正確に読み取る帳票読取り装置を提供することである。【解決手段】  印鑑が押印された印影領域を検出し、印影領域のカラー画像から印影を消去した２値画像を生成し、入力された白黒２値画像に当該印影を消去した２値画像を貼り付け合成し、合成した２値画像を基に文字を認識する。【選択図】  図１
2005092543.tif 000002
【特許請求の範囲】
【請求項１】
画像データを入力する画像入力部と、該入力された画像データから文字を認識する認識部と、該認識結果を出力する出力部とを有する帳票読取り装置において、
該認識部は、上記入力された画像データからカラー画像と白黒２値画像とを生成し、上記カラー画像から印鑑が押印された印影領域を検出し、
上記印影領域のカラー画像から印影を消去した２値画像を生成し、
上記白黒２値画像に当該印影を消去した２値画像を貼り付け合成し、
前記合成した２値画像を基に文字を認識することを特徴とする帳票読取り装置。
【請求項２】
請求項１記載の帳票読取装置であって、上記印影領域の検出は、上記カラー画像から印鑑色と同じ系統の画素を抽出し、当該画素の塊を連結成分として抽出し、当該連結成分の外接矩形を求め、外接矩形のサイズまたは外接矩形内の赤色画素の密度を検出し、当該サイズまたは密度をもとに上記外接矩形を印影領域として抽出することを特徴とする帳票読取り装置。
【請求項３】
請求項１記載の帳票読取装置であって、上記２値画像の生成は、上記カラー画像の三原色成分から一つの原色成分を選択し、当該原色成分を濃度値とみなして各画素を白黒２値化し、注目画素の２値化結果が黒色となった場合に、当該注目画素を色識別して、該色識別結果が選択した原色系であると判断される注目画素を白色反転することを特徴とする帳票読取り装置。
【請求項４】
画像データを入力する画像入力部と、該入力された画像データから印影領域を修正する修正処理部と、該修正処理結果を表示する表示部とを有する画像データ修正装置において、
上記表示部は、入力された白黒２値画像に印影を消去した部分２値画像を貼り付け合成した白黒２値画像または入力されたカラー画像をフィールドごとに切り替えて表示し、
上記修正処理部は、読取りフィールドと印影領域との重なりの有無を検出し、該読取りフィールドが印影領域と重なるフィールドについては、該印影領域を修正したカラー画像を生成して上記表示部に該カラー画像を表示させることを特徴とする帳票読取り装置。
【請求項５】
画像データを入力する画像入力部と、該入力された画像データから帳票を認識する認識部と、該認識結果を出力する出力部とを有する帳票読取り装置の上記認識部に、
上記入力された画像データからカラー画像と白黒２値画像とを生成する第１のステップと、
上記カラー画像から印鑑が押印された印影領域を検出する第２のステップと、
上記印影領域のカラー画像から印影を消去した２値画像を生成する第３のステップと、
上記白黒２値画像に当該印影を消去した２値画像を貼り付け合成する第４のステップと、
前記合成した２値画像を基に文字を認識する第５のステップとを実行させることを特徴とするプログラム。
【請求項６】
請求項５記載のプログラムであって、上記第２のステップは、
上記カラー画像から印鑑色と同じ系統の画素を抽出するステップと、当該画素の塊を連結成分として抽出するステップと、当該連結成分の外接矩形を求めるステップと、外接矩形のサイズまたは外接矩形内の赤色画素の密度を検出するステップと、当該サイズまたは密度をもとに上記外接矩形を印影領域として抽出するステップとを含むことを特徴とするプログラム。
【請求項７】
請求項５記載のプログラムであって、上記第３のステップは、
上記カラー画像の三原色成分から一つの原色成分を選択するステップと、当該原色成分を濃度値とみなして各画素を白黒２値化するステップと、注目画素の２値化結果が黒色となった場合に、当該注目画素を色識別するステップと、該色識別結果が選択した原色系であると判断される注目画素を白色反転するステップとを含むことを特徴とするプログラム。
【請求項８】
画像データを入力する画像入力部と、該入力された画像データから印影領域を修正する修正処理部と、該修正処理結果を表示する表示部とを有する画像データ修正装置において、
上記修正処理部に、読み取りフィールドごとに該読取りフィールドと印影領域との重なりの有無を検出するステップと、該読取りフィールドが印影領域と重なるフィールドについては、該印影領域を修正したカラー画像を生成するステップとを実行させ、
上記表示部に、入力された白黒２値画像に印影を消去した部分２値画像を貼り付け合成した白黒２値画像または入力されたカラー画像をフィールドごとに切り替えて表示させ、該読取りフィールドが印影領域と重なるフィールドについては、上記修正したカラー画像を表示するステップを実行させることを特徴とするプログラム。
【発明の詳細な説明】
【技術分野】
【０００１】
本発明は赤色の印鑑が押印された帳票から印影を除去した画像を生成して文字を読み取る帳票読取り装置に関する。
【背景技術】
【０００２】
帳票の画像をスキャナで採取し文字認識を行なう場合、帳票中の印影が文字と重なり文字認識の邪魔になることがある。そこで、文字認識の障害となる帳票中の印影を除去する必要がある。従来、特開平５−２８３１３号公報（特許文献１）では、印影を除去する方法として、赤色フィルタと青色フィルタを併設し、赤色フィルタによって赤色の印影がドロップアウト（脱落）することが記載されている。また、従来、特開平８−２１２２９４号公報（特許文献２）では、印影読取りモードと文字読取りモードを設け、印影の色成分のみを有効なドットとして印影色イメージデータを生成することが記載されている。また、従来、特開平９−８１６６６号公報（特許文献３）、特開２００２−１８３６６１号公報（特許文献４）では、印鑑の色と記入文字の色が異なる場合、色分離により印鑑の色部分のみを取り出して、取り消し線が記載された位置を基に印鑑が存在するかどうかの判定を行なうことが記載されている。また、従来、特開２０００−２５１０７２号公報（特許文献５）では、押印と同色のプレ印刷を含む帳票画像からプレ印刷画像を除去して印影を抽出することが記載されている。従来、特開２００２−２６９５４７号公報（特許文献６）では、白黒画像の黒ランを用いて、角印と捺印欄枠とを区別して印影を抽出することが記載されている。また、従来、特開平８−２２１５０７号公報（特許文献７）では、文末に押印された印影部分を文字認識結果と文末に出現する可能性のある単語と比較して検証し、文字認識結果に含まれる印影部分を除去することが記載されている。
【０００３】
【特許文献１】特開平５−２８３１３号公報
【０００４】
【特許文献２】特開平８−２１２２９４号公報
【特許文献３】特開平９−８１６６６号公報
【特許文献４】特開２００２−１８３６６１号公報
【特許文献５】特開２０００−２５１０７２号公報
【特許文献６】特開２００２−２６９５４７号公報
【特許文献７】特開平８−２２１５０７号公報
【発明の開示】
【発明が解決しようとする課題】
【０００５】
しかしながら、赤色フィルタによって赤色の印影をドロップアウトする従来方法や、印影の色成分のみを有効なドットとして印影色イメージデータを生成する従来方法では、赤色の記入文字、即ち、印影と同色の記入文字は消去されるので、印影と同色の記入文字を読み取ることはできないという問題がある。また、取り消し線が記載された位置を基に印鑑が存在するかどうかを判定する従来方法では、取り消し線がなく任意の位置に押印された印影を抽出することが考慮されていないという問題がある。また、角印と捺印欄枠とを区別して印影を抽出する従来方法では、捺印欄枠の付近に押印されていることが前提であり、帳票の任意の位置に押印された印影を抽出することが考慮されていないという問題がある。また、帳票画像からプレ印刷画像を除去して印影を抽出する従来方法では、予めプレ印刷画像を用意しておく必要があり、帳票のレイアウトが微妙に変わっている帳票に対して、すべてプレ印刷画像を具備させることは煩雑になるという問題がある。また、文末に押印された印影部分を文字認識結果と文末に出現する可能性のある単語と比較して検証し、文字認識結果に含まれる印影部分を除去する従来方法では、印影と文字との重なりを考慮しておらず、もし、印影と文字が重なった場合、文末に出現する可能性のある単語と比較して印影部分を除去することは困難であるという問題がある。
【０００６】
本発明は、上記問題点に鑑みてなされたものであり、その目的は、任意の位置に印鑑が押印された帳票に対して、印影色と異なった記入文字と印影が重なった帳票の読取りにおいて、印影色と同色で記入された文字列をドロップアウトすることなく、印影をドロップアウトして、印影と重なった異色の記入文字および印影と重ならない同色の記入文字を正確に読み取る帳票読取り装置を提供することである。
【課題を解決するための手段】
【０００７】
本発明は、印鑑が押印された印影領域を検出し、印影領域のカラー画像から印影を消去した２値画像を生成し、入力された白黒２値画像に当該印影を消去した２値画像を貼り付け合成し、合成した２値画像を基に文字を認識するようにしている。
【０００８】
また、本発明は、印鑑が押印された印影領域を検出するため、カラー画像から印鑑色と同じ系統の画素を抽出し、当該画素の塊を連結成分として抽出し、当該連結成分の外接矩形を求め、外接矩形のサイズまたは外接矩形内の赤色画素の密度を検出し、当該サイズまたは密度をもとに外接矩形を印影領域として抽出するようにしている。
【０００９】
また、本発明は、印影領域のカラー画像から印影を消去した２値画像を生成するため、カラー画像の三原色成分から一つの原色成分を選択し、当該原色成分を濃度値とみなして各画素を白黒２値化し、もし注目画素の２値化結果が黒色となった場合、当該注目画素を色識別して、色識別結果が選択した原色系であると判断される注目画素を白色反転するようにしている。
【００１０】
また、本発明は、入力された白黒２値画像に印影を消去した部分２値画像を貼り付け合成した白黒２値画像を読取りフィールドごとに表示する手段と、入力されたカラー画像を読取りフィールドごとに表示する手段と、読取りフィールドごとに上記合成した白黒２値画像またはカラー画像をフィールドごとに切り替える手段とを備え、読取りフィールドと印影領域との重なりの有無を検出し、読取りフィールドが印影領域と重なるフィールドにおいて、入力されたカラー画像を表示するようにしている。
【発明の効果】
【００１１】
本発明によれば、印影色と同色の記入文字を含む帳票から印影領域を検出することができるため、印影と同色の記入文字を有する帳票を読み取ることができ、多様な帳票を読取り対象とできるという効果がある。
【００１２】
また、本発明によれば、印影領域を抽出して当該領域の印影を除去した２値部分画像を生成し、元ぼ白黒２値画像に貼り付け合成することができるため、印影を除去した白黒２値画像で印影と重なった文字を正確に読み取ることができるという効果がある。
【００１３】
また、本発明によれば、印影領域をサイズや赤色画素の密度により限定して検出しているため、部分的に赤色の枠線や赤色の記入文字があっても、除去されることなく、印影のみを除去するという効果がある。
【００１４】
また、本発明によれば、読取り結果を画面を介して修正する場合、表示するカラー画像と２値画像を印影の重なり有無によって切り替えることができるため、人間が読取りにくい印影と文字が重なった部分があるような帳票であっても、正確に読取り結果を修正することができるという効果がある。
【発明を実施するための最良の形態】
【００１５】
以下、本発明の一実施例を図面に従い説明する。
図１は、本発明の一実施例である帳票読取り装置の構成図である。カラー画像入力部１００では帳票の表面画像をカラー画像１１０および白黒２値画像１１１の２面の画像として採取する。ここで、白黒２値画像１１１は、各画素において３原色成分の最小値を濃淡画像とする画像から、２値化処理により生成される。３原色成分の最小値を濃淡画像として２値化するため、色付きの画素および黒色の濃い画素はすべて、２値化画像では黒色となる。従って、印影部分や印影と同色の記入文字や異色の記入文字、罫線は黒色の２値画像となる。
【００１６】
画像処理部１０１は、印影の領域座標を検出する印影領域検出部１０３、印影領域内のカラー画像を切出して印影色をドロップアウトして２値化画像を生成する領域カラー画像２値化部１０４、領域内のカラー画像２値化結果を白黒２値画像１１１に貼り付ける画像貼り付け合成部１０２からなる。採取したカラー画像１１０は、印影領域検出部１０３において、任意の位置に押印された印影に対して、印影領域の座標を抽出する。そして、当該領域座標を基に、領域カラー画像２値化部１０４において、カラー画像を２値化する。ここでは、各画素ごとに、印影色を有する画素をドロップアウトして白色に、その他の色を有する画素を黒色にするカラー２値化を行なう。画像貼り付け合成部１０２では、白黒２値画像１１１の内部で抽出された印影領域内を上記領域カラー画像２値化結果である部分画像で置き換えて貼り付けることにより、新しい白黒２値画像１１２を生成する。この合成された白黒２値画像１１２は、印影領域は印影色がドロップアウトされた２値画像であり、それ以外の部分は３原色成分の最小値を濃淡画像として２値化された２値画像となる。
【００１７】
画像処理部１０１から出力された合成された白黒２値画像１１２は、文字認識部１０５において文字が読み取られ文字コードに変換される。文字修正部１０６では、文字認識部１０５で読み取られた文字認識結果の修正を画面に帳票の画像を表示して行なう。印影領域においては、印影と異色の記入文字は黒色となり、印影はドロップされ白色となるので、印影と重なった記入文字を黒色として正確に文字認識部１０５において読むことができるという効果がある。また、印影とは重ならない同色、又は異色の記入文字は黒色となり、正確に文字認識部１０５において読むことができるという効果がある。
【００１８】
これらの処理を行う帳票読取り装置は、カラー画像入力部、画像処理部、文字認識部、文字修正部からなる。カラー画像入力部は、光学読取装置のスキャナを入力部に持つ。画像処理部は入力部で読み取られた画像データをもとに印影領域の検出、領域カラー画像２値化、および部分画像の貼り付け合成の処理を行う。また、文字認識部で文字を読み取る。これら、画像処理部、文字認識部は小型の計算機のプログラムにより構成される。このプログラムは、帳票読取装置のハードディスクや、ＣＤ−ＲＯＭなどの記憶装置に記憶される。また、文字修正部は、その結果を表示するCRTなどの表示装置から構成される。
【００１９】
図２は、本発明の対象としたカラーの帳票画像の一例である。帳票画像２００はカラー画像１１０の一例であり、文字列２０１、２０３、２０４、２０５、２０６と印影２０７、及び枠線２０２からなる。印影色は、印影２０７に示すように赤色であり、記入文字色は赤色と黒色である。印影と重ならない記入された文字列２０１は赤色である。また、印影と重なっている記入文字列２０４、２０６の色は黒色である。金額の右端部分と、支払い者の右端部分が印影と重なっている。
【００２０】
図３は、本発明の対象とした白黒画像の一例であり、カラー画像入力部１００により２面同時に採取される画像の内の一面の画像である。白黒画像３００は、各画素において３原色成分の最小値を濃淡画像とする画像から２値化処理により生成される白黒２値画像１１１の一例である。文字列３０１、３０３、３０４、３０５、３０６および枠線３０２は黒色である。また、印影３０７も同じく黒色である。記入文字列３０４、３０６が印影３０７と重なっており、従来法のように、当該白黒画像３００を直接、文字認識部１０５で読み取ると、印影３０７が障害となって正確に文字を読み取ることが困難である。そのため、カラー情報を用いて印影領域を検出し、検出した印影領域にカラー２値化処理を行なう。
【００２１】
図４は、印影領域の検出結果を説明する図である。カラー画像２００に対して、印影領域を抽出した結果画像を４００で示す。印影領域検出部１０３において検出した印影領域を４０７で示す。印影領域は矩形の頂点座標で出力される。
【００２２】
図５は、印影領域のカラー画像を２値化した結果の２値画像である。領域カラー画像２値化部１０４において印影領域４０７内部のカラー画像を切出し、切り出した部分カラー画像に対して赤色をドロップアウトして２値化して結果画像５００である。印影部分が消去されて白色となっており、記入文字列の部分および枠線が黒色となっている。
【００２３】
図６は、画像処理部１０１によって合成された白黒２値画像１１２の一例であり、白黒２値画像１１１の内部で抽出された印影領域内に、上記領域カラー画像２値化結果である部分画像を貼り付けた新しい白黒２値画像である。領域カラー画像２値化結果である部分画像を貼り付けた新しい白黒２値画像を６００で示す。赤色の記入文字列６０１が黒色となっている。また、黒色の記入文字列６０４、６０６には重なっていた印影が消えており、全文字が黒色となっている。このように、印影と重ならない同色の文字列が消去されず黒色となり、かつ印影の重なる異色の文字列が消去されず黒色となっており、印影が重なった文字列を正確に読み取ることができるという効果がある。
【００２４】
図７は、印影領域検出部１０３の処理過程を説明する図である。入力はカラー画像の三原色成分であり、出力は印影領域の座標である。先ず、ステップ７００で印影領域検出処理が開始され、ステップ７０１で三原色成分を入力する。次いで、ステップ７０２で赤色画素を抽出する。ここで、各画素の三原色成分の大きさの比較により、赤色成分の大きい画素を赤色画素とする。ステップ７０３で帳票画像の全面で当該赤色画素の個数を計数し、ステップ７０４で赤色画素の個数が所定値より大きいかどうかを判定する。所定値より赤色画素の個数が大きい場合、ステップ７０５で本印影領域検出の処理はリジェクトとして、ステップ７０６で終了する。一方、赤色画素の個数が所定値より小さい場合、ステップ７０７で赤色画素を黒色、それ以外の画素を白色とする２値画像に対して黒色画素の塊を融合して連結成分として抽出する。融合した連結成分の外接矩形が印影領域の候補となる。次いで、ステップ７０８で連結成分の外接矩形のサイズ検定を行なう。ここでは、予め決められた印影のサイズの範囲をもとに、連結成分の外接矩形のサイズが所定サイズ条件を満たすかどうかの検定をおこなう。本ステップにより、赤色記入文字列のように横に長い領域は印影領域ではないと判定される。さらに、赤色記入文字のように小さい領域は印影領域ではないと判定される。本ステップでは、印影と同色の記入文字であっても、印影領域の候補としないようにしているので、印影と重ならない同色の記入文字は消去されることは無いという効果がある。さらに、ステップ７０９で連結成分の外接矩形内の画素密度を計測し、画素密度の小さい領域は印影領域候補ではないとする。一方、矩形内の画素密度が大きい領域は印影領域候補とする。ステップ７１０で複数個または単数の印影領域候補の座標を出力して、ステップ７１１で印影領域検出処理を終了する。このように、印影領域の検出処理において、候補領域を求め、候補領域のサイズおよび候補領域内の画素密度を基に候補領域に対する検定を行なっているので、印影領域と同色の文字領域との区別をつけることができ、印影領域のみを検出するという効果がある。
【００２５】
図８は、領域カラー画像２値化部１０４の処理過程を説明する図である。ステップ８００で印影領域内のカラー画像を２値化する処理を開始する。先ず、ステップ８０１で印影領域候補の座標を入力する。領域の座標としては、矩形の頂点座標でよい。ステップ８０２で、領域内のカラー画像を部分画像として切出し、ステップ８０３でカラーの部分画像の三原色成分から赤色成分画像を選択し、２値化対象の濃淡画像とみなす。ステップ８０４で画像の縦方向の走査、ステップ８０５で画像の横方向の走査を繰り返し、ステップ８０６で注目画素の濃淡画像値を２値化する。ここでは、黒色が濃淡値が暗い、白色が濃淡値が明るいとして、注目画素を白色または黒色に２値化する。ステップ８０７では、注目画素が黒色か白色かを判定し、もし、注目画素が黒色の場合、ステップ８０８で注目画素の色識別を行なう。ここでは、注目画素の三原色成分を基に、赤色成分の値を他の二原色成分、即ち、青色成分、緑色成分の値と比較し、もし、赤色成分の値が他の原色成分の値より大きい場合、注目画素は赤色と判定する。そして、ステップ８０９で、注目画素が赤色の場合、ステップ８１０で注目画素を白化、即ち、白色に置き換える。本処理過程の出力はビット詰めされた白黒２値画像の形式とするため、ステップ８１１で白黒画素を８個単位で１バイトの画像データにビット詰めを行なう。ステップ８１２で領域カラー画像２値化処理を終了する。本処理過程では、ステップ８０３、ステップ８０６で三原色成分のうちの赤色成分を選択して濃淡画像として２値化するだけでなく、さらに、ステップ８１０で注目画素が赤色であれば、注目画素を白化するという処理を行なっており、帳票画像の赤色をより正確にドロップアウトすることができるという効果がある。このため、赤色の印影がドロップアウトされ白色となり、記入文字や枠線が黒色となる。記入文字や枠線に印影が重なっている箇所は、三原色成分の値の比較結果より赤色とは判断されないことでドロップアウトされず、２値化処理の結果、黒色となる。
【００２６】
図９は、画像貼り付け合成部１０２の処理過程を説明する図である。ここでは、白黒２値画像１１１と部分画像である印影領域カラー画像の２値化画像とを貼り合わせ、合成された白黒２値画像１１２を生成する。ステップ９００で画像貼り付け合成処理が開始される。先ず、ステップ９０１で印影領域の左上頂点座標を入力する。そして、ステップ９０２で印影領域の横幅、高さを入力する。ステップ９０３で画像を縦方向に走査し、ステップ９０４で画像を横方向に走査しながら、ステップ９０５から９０８までの処理を繰り返す。先ず、ステップ９０５で、貼り付け先の画素位置を算出する。次いで、ステップ９０６で貼り付け元の画素位置を算出する。ステップ９０７で貼り付け元の注目画素の値を読取り、ステップ９０８で貼り付け先の画素に上記注目画素の値を埋め込む。以上の処理を、縦方向、横方向に注目画素を移動させながら行なう。ステップ９０９で画像貼り付け合成処理を終了する。このように、印影領域の部分画像のみ赤色をドロップアウトした２値画像を貼り付けるため、赤色の記入文字列がドロップアウトすることはないという効果がある。
【００２７】
図１０は、読取りフィールドと印鑑領域の重なりを説明する図である。帳票画像１０００は白黒２値画像１１１の一例である。帳票画像１０００において、文字を読み取る読取りフィールドは、１００１、１００２、１００３である。また、印影領域は１００４である。読取りフィールドは、定型的な帳票の場合、予め書式として与えることができる。また、レイアウトが微妙に異なる準定型的な帳票の場合、枠線を抽出して枠の配置から読取りフィールドを検出することができる。印影領域１００４は、印影領域検出部１０３により検出することができる。本実施例では、読取りフィールド１００２と１００３が印影領域１００４と部分的に重なっている。この印影と読取りフィールドが重なっている場合、読取り結果の誤りやリジェクトを人間が修正するため、当該白黒画像１０００を画面に表示しても、読取りフィールド１００２、１００３に記入された文字列のある文字が目視によっても読み取ることが困難である。一方、カラー画像１１０では、印影と重なった文字列であっても、人間が目視で文字を読み取ることは容易である。そこで、文字修正部１０６では、読取りフィールドの画面表示を白黒画像とカラー画像の２種類に切り替えて、印影が重なった文字列であっても、人間が目視で容易に確認、修正できるようにする。
【００２８】
図１１は、文字修正部１０６のフィールド画像表示の処理過程を説明する図である。ステップ１１００でフィールド画像表示の処理を開始する。ステップ１１０１でカラー画像１１０を入力し、ステップ１１０２で白黒画像１１０または１１２を入力する。ステップ１１０３でフィールド情報として読取り領域の位置座標を入力する。また、ステップ１１０４で印影領域の位置座標を入力する。フィールドの画面表示は、ステップ１１０５で順次、フィールドが尽きるまで行なわれる。先ず、ステップ１１０６で注目フィールド座標が設定され、ステップ１１０７で印影領域と注目フィールドとの重なりの有無を判定する。そして、ステップ１１０８で、印影領域と注目フィールドが重なっている場合、ステップ１１０７で注目フィールドをカラー画像で表示する。一方、ステップ１１０８で、印影領域と注目フィールドが重なっていない場合、ステップ１１１０で注目フィールドを白黒画像で表示する。これらの画面表示によって人間が画面を目視で観察しながら、帳票の読取り結果の修正を行ない、ステップ１１０５でフィールドが尽きれば、当該帳票の画面を介した読取り結果の修正はステップ１１１１で終了する。本発明の文字修正処理により、印影と重なった文字列で人間が目視で読取りが困難な白黒画像の場合でも、カラー画像を切り替えて表示するため、容易に文字を観察できるという効果がある。
【図面の簡単な説明】
【００２９】
【図１】本発明の一実施例である帳票読取り装置の構成図である。
【図２】本発明の対象としたカラーの帳票画像の一例である。
【図３】本発明の対象とした白黒画像の一例であり、カラー画像入力部１００により２面同時に採取される画像の内の一面の画像である。
【図４】印影領域の検出結果を説明する図である。
【図５】印影領域のカラー画像を２値化した結果の２値画像である。
【図６】合成された白黒２値画像１１２の一例であり、白黒２値画像１１１の内部で抽出された印影領域内に、上記領域カラー画像２値化結果である部分画像を貼り付けた新しい白黒２値画像である。
【図７】印影領域検出部１０３の処理過程を説明する図である。
【図８】領域カラー画像２値化部１０４の処理過程を説明する図である。
【図９】画像貼り付け合成部１０２の処理過程を説明する図である。
【図１０】読取りフィールドと印鑑領域の重なりを説明する図である。
【図１１】文字修正部１０６の処理過程を説明する図である。
【符号の説明】
【００３０】
１０２…画像貼り付け合成部、１０３…印影領域検出部、１０４…領域カラー画像２値化部、１０５…文字認識部、１０６…文字修正部、１１０…カラー画像、１１１…白黒２値画像、１１２…貼り付け合成後の白黒２値画像、２００…カラー帳票画像、２０１…赤色記入文字、２０４…黒色記入文字、２０６…黒色記入文字、２０７…赤色印影、３００…白黒２値帳票画像、４０７…検出した印影領域、５００…印影領域のカラー２値化結果画像、６００…貼り付け合成後の白黒２値帳票画像、７０７…融合した連結成分抽出処理ステップ、７０８…連結成分の外接矩形のサイズ検定処理ステップ、７０９…連結成分の外接矩形内の画素密度検定、８０３…赤色成分画像の選択、８０８…注目画素の色識別、１００２…読取りフィールド、１００４…印影領域、１１０７…印影領域と注目フィールドの重なり判定。
【図１】
2005092543.tif 000003
【図２】
2005092543.tif 000004
【図３】
2005092543.tif 000005
【図４】
2005092543.tif 000006
【図５】
2005092543.tif 000007
【図６】
2005092543.tif 000008
【図７】
2005092543.tif 000009
【図８】
2005092543.tif 000010
【図９】
2005092543.tif 000011
【図１０】
2005092543.tif 000012
【図１１】
2005092543.tif 000013